(57)【要約】【課題】適度の弾性を備えて水はけが良く、且つ高さ調節も可能であり、また、本体の大きさを容易に調節できるところの椅子を提供すること。【解決手段】所要箇所で上下方向に多数の貫通孔を備える椅子の本体１の表面にコルク２が張設され、前記本体１の下面に高さ調節手段３が設けられている。【選択図】　　　図１
2004041619.tif 000002
【特許請求の範囲】
【請求項１】
所要箇所で上下方向に多数の貫通孔を備える椅子の本体１の表面にコルク２が張設され、前記本体１の下面に高さ調節手段３が設けられていることを特徴とする椅子。
【請求項２】
所要箇所で上下方向に多数の貫通孔を備える椅子の本体１が、合成樹脂成型によって相互に連結可能なユニット１ａに成型され、各ユニット１ａには相互連結のための連結手段４が設けられ、且つ、各ユニット１ａの表面にコルク２が張設されていることを特徴とする椅子。
【請求項３】
前記本体１に対するコルク２の張設が、接着によって行われている請求項１又は請求項２の椅子。
【請求項４】
前記本体１に対するコルク２の張設が、嵌合によって行われている請求項１又は請求項２の椅子。
【発明の詳細な説明】
【０００１】
【発明の属する分野】
本発明は、風呂場、水洗い場等に用いられる椅子に関するものである。
【０００２】
【従来の技術】
椅子としては、古くは、並行な桟に所定幅の板を複数舞所定の間隔を隔てて張設したものが用いられてきた。
この種の椅子は、所定の大きさで平行配置された板の隙間に足の指が落ち込んだり、引っ掛けたりする虞があり、老人、子殿にとって好ましくないものであった。また、椅子自体は、所定の大きさであるので、浴室床の所要の面積を覆う状態で直接に敷くだけであり、床全面を覆うことが出来ないと共に浴室に入ったときに部屋側（脱衣場）との段差を余儀なくされ、バリアフリーの問題を残すものであった。
【０００３】
これに対し、最近に至り、合成樹脂成型の技術向上に伴い、そうした木材製或いは竹製の椅子に代わり、合成樹脂成型の椅子が普及してきている。合成樹脂製の椅子は、材質的に、木材に比べて、水分が吸収されることがないので水はけが良く、容易に乾かすことがとでき、従って、早期に朽ちたり、カビが生えたりすることが殆どなく、使い心地が良いという利点がある。
しかし、合成樹脂製であるが故に、滑り易いという欠点があり、これを解消するために、表面に凹凸、溝等（ある種のパターンとすることもある）を形成している。また、所定の大きさのものを成型するだけでは、種々の床面積の浴場に適合できないという問題も残る。
【０００４】
【発明が解決しようとする課題】
上述のように滑りを防止するために、合成樹脂製の椅子本体の上面に刻み目あるいは、凹凸を形成すると、水の表面張力との関係で、ここに水が溜まり、水はけが悪くなって使い心地が悪くなるという問題がある。
また、単に合成樹脂成型の椅子本体を風呂床に敷くだけでは、やはり、部屋側（脱衣場）との段差は解消されるものではなく、問題が残る。同時に、種々の床面積の浴場に適合し難いという問題もある。
【０００５】
本発明は、かかる問題に鑑み、上述した木製椅子、合成樹脂製椅子の持つ問題点を解消し、適度の弾性を備えて水はけが良く、且つ高さ調節も可能であり、また、本体の大きさを容易に調節できるところの椅子を提供することを目的とする。
【０００６】
【課題を解決するための手段】
本発明にかかる椅子は、上記課題を解決するべく、所要箇所で上下方向に多数の貫通孔を備える椅子の本体１の表面にコルク２が張設され、前記本体１の下面に高さ調節手段３が設けられている。
【０００７】
また、本発明にかかる椅子は、上記目的を達成するために、所要箇所で上下方向に多数の貫通孔を備える椅子の本体１が、合成樹脂成型によって相互に連結可能なユニット１ａに成型され、各ユニット１ａには相互連結のための連結手段４が設けられ、且つ、各ユニット１ａの表面にコルク２が張設されている。
【０００８】
【発明の実施の態様】
本発明において、前記本体１に対するコルク２の張設が、接着によって行われているのが好ましい。
また、本発明において、前記本体１に対するコルク２の張設が、嵌合によって行われているのが好ましい。
本発明において、前記本体１に対するコルク２の張設が、接着によって行われているのが好ましい。
【０００９】
本発明において、前記本体１の素材としては、金属製、塩ビ製など、椅子として使用し得る適宜の公知の素材を用いてよい。
また、前記本体１に対するコルク２の張設が、公知の接着剤を用いる他に、嵌め合い手段に依る方法を採用してもよい。
また、上記高さ調節手段３として、実施例ではネジ方式を採っているが、長さの異なる脚を準備して、適宜のものを選択して取り付ける等の方法を採ってもよい。
【００１０】
【実施例】
以下、本発明にかかる椅子の好適実施例について、図面を参照して詳述する。図１に示すのは、一態様を示す椅子の要部を示す斜視図であり、所要箇所で上下方向に多数の貫通孔を備える椅子の本体１の表面にコルク２が張設され、前記本体１の下面に高さ調節手段３が設けられている。
【００１１】
前記本体１は、ここでは合成樹脂の成型によって構成されており、前記高さ調節手段３は、本体１の下部の脚部１Ａに羅着されたネジ部材１Ｂによって構成されている。前記コルク２は、本来天然素材をそのまま用いてよいのであるが、ここでは、熱処理を施した炭化コルクボードを用いている。このコルク２の本体１への張設は、一般の接着剤を用いて行っている。
【００１２】
図２に示すのは、別の態様を示し、所要箇所で上下方向に多数の貫通孔を備える椅子の本体１が、合成樹脂成型によって相互に連結可能なユニット１ａに成型されている。このユニット１ａは、ここでは、一辺３０ｃｍの大きさに構成されており、各ユニット１ａには相互連結のための連結手段４が設けられている。
この連結手段４は、一方のユニット１ａの一辺に設けられた嵌合孔４Ａと、隣接するもう一方のユニット１ａに形成された嵌合突起４Ｂとで構成されている。
【００１３】
また、各ユニット１ａの表面にコルク２が張設されている。このコルク２は、接着剤によって前記椅子の本体１のユニット１ａ毎に接着されている。
しかし、前記本体１に対するコルク２の張設が、コルク２の裏面に設けた突起物と、本体１側に形成された貫通孔に対する嵌合によって行われるようにしてもよい。
【００１４】
【発明の効果】
本発明によれば、椅子本体の上面がコルクで覆われていることで、適度の弾性によって踏み心地が良くて安全性があると共に表面が平坦であっても適度の摩擦係数を持つので、滑りを起こし難く、老人、子供に対しても安全であり、また、水はけが良いのでベトづかない。
そして、本体に高さ調整手段を備えていることで、部屋（脱衣場）と浴場との段差があっても、容易に調整できて、バリアフリーを導入できる。
【００１５】
また、本体が、合成樹脂成型によって相互に連結可能なユニットに成型されている場合には、上述したコルクを敷設した本体のユニットの連結によって、浴場に応じた大きさの椅子を容易に得ることができて、浴場床に略フィットした状態で使用できる。
本発明のその他の具体的な利点については、上記実施の態様の項及び実施例の項において詳述したとおりである。
【図面の簡単な説明】
【図１】本発明の椅子の一態様を示す要部の一部切り欠き斜視図である。
【図２】本発明の椅子の別の態様を示す要部の一部切り欠き斜視図である。
【符号の説明】
１　本体
１ａ　ユニット
２　コルク
３　高さ調節手段
４　連結手段
【図１】
2004041619.tif 000003
【図２】
2004041619.tif 000004